Podtech/llm-jp-corpus-v4-ja_patent huggingface dataset:
(57)【要約】      （修正有）【課題】任意の地形や建築物などの景観を容易に制作可能な情景付き模型を提供する。【解決手段】シート２には、地面の俯瞰描写４や道路標示８、部品指示９を印刷する。木や樹脂、金属もしくはそれらを組み合わせて構成されたパネルの表面に、印刷されたシート２を貼付する。シート２に印刷された地面の俯瞰描写４や部品指示９に従って、例えば石膏や樹脂で成形された造形物や鉄道模型をシート２の上に配置する。また、シート２に部品指示９を印刷しないことで、シート上の任意の場所に自由に造形物や鉄道模型を配置することも可能である。【選択図】図２
0003205703.tif 000002
【実用新案登録請求の範囲】
【請求項１】
パネル等に貼付した予め地面の表現と造形物の配置を印刷したシート上に、任意の地形や建築物などの造形物を配置した情景付き模型
【請求項２】
パネル等に貼付した予め地面の表現を印刷したシート上に、任意の地形や建築物などの造形物を配置した情景付き模型
【考案の詳細な説明】
【技術分野】
【０００１】本考案は、情景付き模型の改良に関する。
【背景技術】
【０００２】従来の情景付き模型においては、地面の表現は塗料の塗布や粉末、繊維の接着によって再現するものに留まっていた。【０００４】また、道路やタイル敷きのような地面の再現については予め印刷された紙ないし繊維や樹脂によるシート状のものを貼付することにより作業を簡略化している例はあった。
【先行技術文献】
【非特許文献】
【０００４】
【非特許文献１】  株式会社トミーテック、ＴＯＭＩＸパノラママット（タウン）、［ｏｎｌｉｎｅ］、平成２７年１２月２２日、株式会社トミーテック、［平成２８年５月８日検索］、インターネット〈ＵＲＬ：ｈｔｔｐ：／／ｗｗｗ．ｔｏｍｙｔｅｃ．ｃｏ．ｊｐ／ｔｏｍｉｘ／ｐｒｏｄｕｃｔｓ／ｎ／８１９２．ｈｔｍ〉
【考案の概要】
【考案が解決しようとする課題】
【０００５】塗料の塗布や粉末、繊維の接着により地面の表現を行う場合、塗料の乾燥や接着剤の硬化に時間がかかるという課題があった。【０００６】塗装や接着の作業を行う際には、対象とされる部分からはみ出さないように養生を行なうという作業が必要であること、塗料や接着剤に含まれる有害物質が人体に吸入される恐れがあるという課題があった。【０００７】また、情景付き模型内に情景物や鉄道模型などを設置する位置の指示がなかったため、それらを設置する際に間違いが発生していた。【０００８】これまでの情景付き模型では道路標示の再現については、線状の粘着テープを貼付したり、直接表示を描写したりしたため、製作に時間を要していた。【０００９】既存の地面の俯瞰描写が印刷されたシート状のものは大きさや内容はあらかじめ用意されたものであり、任意の大きさや内容に対応できないという課題があった。【００１０】本発明の目的は、情景付き模型を短時間かつ容易に製作可能にすることである。
【課題を解決するための手段】
【００１１】前記の目的を達成するため、情景付き模型において、地面の俯瞰描写が予め紙ないし繊維や樹脂によるシート状のものに印刷されていることを特徴とする。【００１２】例えば山岳のような任意の地形や、土や草地、コンクリートやタイル等の地面の表現、鉄道、道路のような要素の俯瞰描写を図案化し、シートに予め印刷することにより、任意の景観付き模型を製作することができる。【００１３】また、別途製作される造形物や模型の位置や内容について予めシートに印刷することによって指示することを特徴とする。【００１４】パネル等に予め印刷したシートを貼付するだけで地面表現を製作することができるので、大規模な情景付き模型の製作も容易となる。【００１５】シートはイラストやコンピュータグラフィックス等による俯瞰描写に限らず、例えば地形図や航空写真などの測量資料を用いて製作することも可能である。
【考案の効果】
【００１６】本考案は上記のように構成されるので、本考案によるときは、任意の地面表現や情景を含んだ模型を短時間かつ容易に製作することができるものである。
【図面の簡単な説明】
【００１７】
【図１】本考案の一実施例を示す斜視図である。
【図２】本考案に含まれる地面の俯瞰描写を印刷したシートの一実施例を示す平面図である。
【図３】本考案に含まれる地面の俯瞰描写を印刷したシートの一実施例を示す平面図の拡大図である。
【図４】本考案の別の実施例を示す斜視図である。
【考案を実施するための形態】
【００１８】図１は本考案の情景付き模型の外観図である。
【００１９】シート２には図２に示すように、地面の俯瞰描写４や道路標示８、部品指示９を印刷する。
【００２０】木や樹脂、金属もしくはそれらを組み合わせて構成されたパネル３の表面に、印刷されたシート２を貼付する。
【００２１】シート２に印刷された地面の俯瞰描写４や部品指示９に従って、例えば石膏や樹脂で成形された造形物５や鉄道模型６をシート２の上に配置する。
【００２２】また、シート２に部品指示９を印刷しないことで、シート上の任意の場所に自由に造形物５や鉄道模型６を配置することも可能である。
【００２３】道路表現８に従って、例えば発光ダイオードなどを備えた自動車模型１０や街路灯模型１１を設置することもできる。
【００２４】図４で示すように、河川や海などの水面や低い土地の表現については、シートに印刷されたものをそのまま利用するだけではなく、パネル３を例えば発泡スチロール等のスペーサー１２で嵩上げし、スペーサー１２の当該部分とシート２を地面の俯瞰描写４ｂに合わせて切り抜き、嵩を下げた部分にシート２ａ、スペーサーの切り口１３にシート２ｂをそれぞれ貼り付けることで表現することができる。
【００２５】シート２はイラストやコンピュータグラフィックスによる地面の俯瞰描写、図面等に限らず、例えば地形図に基づいて要素を配置する加工を施した画像や航空写真などの測量資料を用いて製作することも可能である。
【符号の説明】
【００２６】１    情景付き模型
２    シート
２ａ  シート
２ｂ  シート
３    パネル
４    地面の俯瞰描写
４ｂ  地面の俯瞰描写
５    造形物
６    鉄道模型
７    鉄道模型
８    道路表現
９    部品指示
１０  自動車模型
１１  街路灯模型
１２  スペーサー
１３  スペーサーの切り口
【図１】
0003205703.tif 000003
【図２】
0003205703.tif 000004
【図３】
0003205703.tif 000005
【図４】
0003205703.tif 000006
(57)【要約】      （修正有）【課題】通常の角型ショベルにおいて、優れた除草機能を付与したショベルを提供する。【解決手段】角型掬い部１と前記掬い部と連結した適宜長さの柄部２を備えたショベルにおいて、角型掬い部１の両側を掬い面１１に対して直角に立ち上げて側面部１２を形成すると共に、掬い面１１の前縁及び側面部１２の前縁を外刃に形成した先端刃１４を設けてなり、通常のショベルと同様に土壌などの掬い取り移動の作業を行うことができると共に、掬い部１の先端刃１４で雑草の切断を行い、特に側溝縁箇所や建物の際の雑草に対しては、側面部１２を側溝の側面や建物の立上り面に添わせて押し込み移動を行い、当該際部分の除草が効果的になされる。【選択図】図２
0003205714.tif 000002
【実用新案登録請求の範囲】
【請求項１】
角型掬い部と前記角型掬い部と連結した適宜長さの柄部を備えたショベルにおいて、角型掬い部の両側を掬い面に対して直角に立ち上げて側面部を形成すると共に、掬い面前縁及び側面部前縁を外刃に形成して先端刃を設けてなることを特徴とするショベル。
【請求項２】
柄部の基端に三角枠状の把持部を設けてなる請求項１記載のショベル。
【考案の詳細な説明】
【技術分野】
【０００１】
本考案は、土木作業や農作業に使用するショベルに関するものである。
【背景技術】
【０００２】
周知のとおりショベル（スコップ）は、掬い部に柄部を装着し、適宜柄部末端に握り部を設けた道具であり、土砂等の掘削や移動に使用される。
【０００３】
特に掘削や地面の馴らし作業において、除草や根切りが必要な場合もあり、これに対応できる刃付の掬い部を備えた道具が知られている。例えば特許文献１（実開昭６３−１７１４４７号公報）には、三角形掬い部の側縁に刃を形成したショベルが開示されている。また特許文献２（特開２００６−２９０４２号公報）には、角型掬い部の先端にチップブレーカを突設すると共にブレーカの先端に刃を設けたショベルが開示されている。
【０００４】
またショベルではないが特許文献３（登録実用新案３１９２４５８号公報）には、
波形刃先を備えた平板状の刃体を備えたもので、特にコンクリート、アスファルトや敷石等の角面に繁殖した雑草等の除去を目的として使用する道具が開示されている。
【先行技術文献】
【特許文献】
【０００５】
【特許文献１】実開昭６３−１７１４４７号公報。
【特許文献２】特開２００６−２９０４２号公報。
【特許文献３】登録実用新案３１９２４５８号公報
【考案の概要】
【考案が解決しようとする課題】
【０００６】
土木作業において、ショベルの掬い部に刃を設ける手段は前記のとおり公知であるが、例えばコンクリート舗装面や構築物、並びにアスファルト舗装面等は経年変化によってひび割れが生じ、当該箇所に雑草が繁殖している箇所や、Ｌ字側溝や、土壌面に構築されたＵ字溝の側縁箇所に繁殖した雑草の除去に使用するには前記下従前の刃付ショベルは適していない。
【０００７】
また特許文献３に記載した作業道具は前記の除草作業にしようすることを目的としているが、当然ショベルの一般的な機能を備えておらず、土木用及び農業用としての汎用性を備えていない。
【０００８】
そこで本考案は、ショベルに所定の改良を加えて優れた除草機能を備えた道具を提供するものである。
【課題を解決するための手段】
【０００９】
本考案に係るショベルは、角型掬い部と前記掬い部と連結した適宜長さの柄部を備えた道具において、角型掬い部の両側を掬い面に対して直角に立ち上げて側面部を形成すると共に、掬い面前縁及び側面部前縁を外刃に形成した先端刃を設けてなることを特徴とするものである。
【００１０】
而して通常のショベルと同様に柄部（及び付設した把持部）を握り、土壌などの掘削、掬い取り等の所定の作業を行うもので、除草が必要な箇所では掬い部の先端刃を、押し込んで地表面上を滑らすことで雑草の切断を行う。特に車道と歩道を分離する縁石の際から繁殖した雑草や、側溝縁箇所に繁殖した雑草に対しては、側面部を縁石や側溝に添わせて押し込み移動を行うことで、効果的に除草を行うことができる。
【考案の効果】
【００１１】
本考案の構成は上記のとおりで、通常のショベルとして使用すると共に、雑草除去が必要な場合には先端刃で容易に除草でき、且つ側面を直角の起立形状としたことで、側溝縁や建物縁の除草も容易に行うことができたものである。
【図面の簡単な説明】
【００１２】
【図１】本考案の実施形態の全体図。
【図２】同要部斜視図。
【図３】同使用状態の説明図。
【図４】同図。
【考案を実施するための形態】
【００１３】
次に本考案の実施形態について説明する。実施形態に示したショベルは通常のものと同様に角型掬い部１と、前記掬い部１と連結した適宜長さの柄部（木製、鋼製、アルミ製等適宜な材質で形成）２と、柄部２の基端に設け把持部３を備えてなる。
【００１４】
角型掬い部１は、矩形の掬い面１１と、側面部１２と、柄連結部１３を備えたもので、特に側面部１２は、掬い面１１の両側を直角に立ち上げて形成したものである。更に前記の掬い面１１及び側面部１２の前縁は外刃に形成し、先端刃１４を設けてなる。
【００１５】
而して前記のショベルは一般のショベルと同様に、土砂、砂利、雪等の持ち上げ移動（掘削、掬い取り）の作業に使用すると共に、掬い面１１で地表面上を滑らすと、先端刃１４が外刃であるので、地中に食い込まず繁殖している雑草Ａの根元を先端刃１４で切断することになる。
【００１６】
特に先端刃１４は側面部１２の前縁にも形成されており、且つ掬い面１１と側面部１２とは直角の角度をなしているものであるから、例えば図３に示すように歩道Ｂと車道Ｃを区分けする縁石Ｄの際から繁殖している雑草Ａや、図４に示すように側溝Ｅと路面Ｆとの割れ目から繁殖する雑草Ａに対しては、シャベルの側面部１２を縁石Ｄの側面や側溝Ｅの角に添わせて作業することで、除去し難い箇所に繁殖した雑草Ａも何ら支障なく除去できるものである。
【符号の説明】
【００１７】
１      角型掬い部
１１    掬い面
１２    側面部
１３    柄連結部
１４    先端刃
２      柄部
３      把持部
【図１】
0003205714.tif 000003
【図２】
0003205714.tif 000004
【図３】
0003205714.tif 000005
【図４】
0003205714.tif 000006
(57)【要約】      （修正有）【課題】ラインテープを縫着するのではなく、他の手段によって高品質な襟装飾部を備えたセーラー襟を有するセーラー服を提供する。【解決手段】セーラー襟１３を備えたセーラー服１１であって、セーラー襟１３が襟装飾部１４を備える。この襟装飾部１４は、昇華転写プリント部分などのデジタルプリント部分を備えたものである。襟装飾部１４は、直線状のラインであってもよく、曲線を含む図柄であってもよく、種々の形態のものとして実施することができる。【選択図】図１
0003205715.tif 000002
【実用新案登録請求の範囲】
【請求項１】
セーラー襟を備えたセーラー服において、
前記セーラー襟が襟装飾部を備え、
前記襟装飾部がデジタルプリント部分を備えたことを特徴とするセーラー服。
【請求項２】
前記襟装飾部が直線状のラインを含むものであり、前記ラインがデジタルプリント部分により構成されたことを特徴とする請求項１記載のセーラー服。
【請求項３】
前記襟装飾部が曲線を含む図柄であり、前記図柄がデジタルプリント部分により構成されたことを特徴とする請求項１又は２に記載のセーラー服。
【請求項４】
前記デジタルプリント部分が昇華転写プリント部分であり、前記デジタルプリント部分は前記セーラー襟の繊維中及び繊維表面に着色インクを含んだものであることを特徴とする請求項１〜３の何れかに記載のセーラー服。
【考案の詳細な説明】
【技術分野】
【０００１】
本考案は、セーラー服に関するものである。
【背景技術】
【０００２】
わが国においては伝統的にセーラー服は学生が着用する制服に広く採用されている。従来のセーラー服、特に制服用のセーラー服にあっては、特許文献１や２に示すように、襟の周辺に数本のラインテープを縫着することによって構成された襟装飾部を備えているものが多用されていた。これは、伝統的な理由に加えて、セーラー襟に何らかの装飾を施す場合、直線的な縫着のみで構成できるラインテープが量産性が高く経済的であり、多数のセーラー服を均一に仕上げ得ることができることも影響していたと考えられる。
【先行技術文献】
【特許文献】
【０００３】
【特許文献１】特開２０１２−７７４１０号公報
【特許文献２】登録実用新案３１９１９９６号公報
【考案の概要】
【考案が解決しようとする課題】
【０００４】
本考案は、ラインテープを縫着するのではなく、他の手段によって高品質な襟装飾部を備えたセーラー襟有するセーラー服の提供を課題とする。
本考案の他の目的は、経済性量産性を満足させつつ、多彩な装飾をなし得る襟装飾部を備えたセーラー襟有するセーラー服の提供を課題とする。
【課題を解決するための手段】
【０００５】
本考案は、セーラー襟を備えたセーラー服において、セーラー襟の襟装飾部をデジタルプリント等のデジタルプリント部分を備えたものを提供することによって、上記の課題を解決する。
前記襟装飾部は、直線状のラインとすることもでき、このラインをデジタルプリント部分により構成することができる。また、前記襟装飾部が曲線を含む図柄であってよく、この図柄をデジタルプリント部分により構成することができる。
【０００６】
これらのデジタルプリント部分は、例えば昇華転写プリント部分であってもよく、インクジェットプリントであってもよい。前記デジタルプリント部分は、前記セーラー襟の繊維中及び繊維表面に着色インクを備えたものとして実施することができる。
【考案の効果】
【０００７】
本考案は、ラインテープを縫着するのではなく、他の手段によって高品質な襟装飾部を備えたセーラー襟有するセーラー服を提供することができたものである。
また、本考案は、経済性量産性を満足させつつ、多彩な装飾をなし得る襟装飾部を備えたセーラー襟有するセーラー服を提供することができたものである。
【図面の簡単な説明】
【０００８】
【図１】（Ａ）本考案の実施の形態に係るセーラー服の正面図、（Ｂ）同セーラー服の背面図。
【図２】同セーラー服の背面側の要部拡大図。
【図３】（Ａ）本考案の他の実施の形態に係るセーラー服の正面側の要部拡大図、（Ｂ）同セーラー服の背面側の要部拡大図。
【考案を実施するための形態】
【０００９】
以下、図面に基づき本考案の実施の形態を説明する。
図１及び図２は、本考案の実施の形態に係るセーラー服１１を示すもので、このセーラー服１１は、布製の身頃１２と、身頃１２に一体又は着脱可能に設けられた布製のセーラー襟１３を備える。なお、本考案において、セーラー襟１３とは、襟本体であってもよく、襟本体に対して着脱可能に設けられた襟カバーであってもよい。
【００１０】
このセーラー服１１には、襟装飾部１４を備える。この襟装飾部１４は、デジタルプリント部分によって構成されている。このデジタルプリント部分は、デジタルプリントによるプリント部分であり、セーラー襟１３の少なくとも表面（より望ましくは布の繊維表面及び繊維中）に、着色インクを備えるものである。この例で言えば、紺色などの濃色の生地に白色のインクにより形成された直線状のラインをデジタルプリント部としたものものである。このデジタルプリント部による襟装飾部１４は、鮮やかな色彩を表現することができるものであり、経済性量産性を満足させつつ、従来の縫製によるラインと遜色のない美観を与えることができる。なお、白色の生地に対して、ライン以外の部分を紺色などの濃色のインクによりプリントすることによって襟装飾部１４を形成することもできる。
【００１１】
このデジタルプリント部は、インクジェットプリンタを用いて、生地に直接インクを付与したインクジェットプリント部分であってもよく、プリンタで転写シートにインクを出力し、次に出力した転写シートと生地とを加熱し必要に応じてプレスすることでシートに出力したインクを生地へ転写することにより形成された昇華転写プリント部分であってもよい。昇華転写プリント部分の場合、昇華現象により、転写シートのインクが気化し生地の繊維にインクが浸透したものである。このように、生地に気化したインクが浸透するため、インクジェットプリント部に比して、繊維中のインクの量が比較的多くなり、表面には印刷した違和感が残り難く、柔らかな風合いを得ることができと共に、気化した粒子の微粒子状のインクが繊維に染めこむため、きれいな印刷となる。しかも、生地に直接インキを染着させるため、刺繍やラインの縫製など従来の襟装飾部１４に比して、セーラー襟１３の軽量化が可能となり、また、通気性が損なわれることが抑制されて夏期などの高温時にも有利なセーラー服１１を提供することができたものである。
【００１２】
しかも、様々な色の組み合わせやグラデーション、複雑で細かな表現が可能であるため、図３の他の実施の形態に示すように、セーラー服１１の襟装飾部１４が曲線を含む図柄とすることも可能であり、また、グラデーションの表現も鮮明になすことができ、多彩な表現をセーラー襟１３において実現することができたものである。なお、直線状のラインと曲線状の図柄とを併用することもできる。
【符号の説明】
【００１３】
１１  セーラー服
１２  身頃
１３  セーラー襟
１４  襟装飾部
【図１】
0003205715.tif 000003
【図２】
0003205715.tif 000004
【図３】
0003205715.tif 000005
(57)【要約】【課題】光の拡散範囲が調整可能なLED投光器を提供する。【解決手段】LED投光器の光拡散範囲調整部分を回転させることで、レンズを通過する光の量を調整する絞りの開く大きさを変化させることにより、光の拡散範囲を調整可能とする。【選択図】図１
0003205749.tif 000002
【実用新案登録請求の範囲】
【請求項１】
光拡散範囲調整部分を回転させることにより、光の拡散範囲が調整可能なことを特徴とするLED投光器。
【考案の詳細な説明】
【技術分野】
【０００１】
本考案は、ＬＥＤ投光器に関するものである。
【背景技術】
【０００２】
従来のＬＥＤ投光器では、光の拡散範囲が固定となっており、特定の範囲しか照らすことが出来なかった。
【考案の概要】
【考案が解決しようとする課題】
【０００３】
ＬＥＤ投光器の光拡散範囲調整部分を回転させることにより簡単に光の拡散範囲を調整できるようにすることで、前述の欠点を解決しようとするものである。
【課題を解決するための手段】
【０００４】
本考案は、ＬＥＤ投光器の光拡散範囲調整部分を回転させることで光源とレンズの間にある光拡散範囲調整絞りの開く大きさを変えることにより、光の拡散範囲を調整することで問題点を解決している。
【図面の簡単な説明】
【０００５】
【図１】ＬＥＤ投光器の構造を示した説明図である。
【符号の説明】
【０００６】
１  光拡散範囲調整部
２  ＬＥＤ光源
３  光拡散範囲調整絞り
４  レンズ
５  ハンドル
６  バッテリーボックス
７  スタンド
【図１】
0003205749.tif 000003
(57)【要約】      （修正有）【課題】陰部を露出することなく、照射部位の確認と照射治療を受けられる放射線治療用のパンツを提供する。    【解決手段】綿製のトランクスを使用し、下腹部の照射部位と体表面のマーキングが確認できるように、ほぼ正方形に切り抜きほつれ処理をし、そこに同布にて作成した窓布３を面ファスナーで取り付けた。また、両側腹部の体表面のマーキングが確認できるように、トランクスの両側のゴムの下部より切り開き、ほつれ処理をし、面ファスナー４を取り付けた。【選択図】図２
0003205763.tif 000002
【実用新案登録請求の範囲】
【請求項１】
綿製のトランクスを使用し、トランクスの正面部分を下腹部の体表面のマーキングが確認できるように、ほぼ正方形に切り取り、ほつれ処理をし、そこに同布で窓布を作成し、面ファスナーで取り付けたことを特徴とする放射線治療用のパンツ。
【請求項２】
側腹部の体表面のマーキングが確認できるように、トランクスの両側のゴムの下部より切り開き、ほつれ処理をし、面ファスナーで止められることを特徴とする請求項１に記載した放射線治療用のパンツ。
【考案の詳細な説明】
【技術分野】
【０００１】
本考案は  医療分野の考案に関する。
【背景技術】
【０００２】
従来のトランクス型の治療・検査用パンツは、右前身頃布片及び左前身頃布片に分割されており、その左右両側縁近傍に離形片を備えた接着部材が設けられているパンツである。この治療・検査用パンツは、トランクスの前面全体が必要に応じ左右に開放されるものである。
【先行技術文献】
【特許文献】
【０００３】
【特許文献１】特開２００１−１７４６４
【考案の概要】
【考案が解決しようとする課題】
【０００４】
下腹部の癌の治療(特に前立腺がん)に放射線療法が行われている。その照射前に、パンツを大腿部まで脱ぎ下げ、陰部が露出したままにて数分の照射部位の確認および体表面のマーキング（身体のねじれ補正のための前面と左右側面の印）の確認を行っていた。照射部位とマーキング確認後、陰部にタオルを掛けた状態で照射治療は受けられていた。しかし、患者にとって、照射前にパンツを脱ぎ下げ、陰部を露出することは大変羞恥のあるものだった。、また、この行為は医療者側にとっても大変抵抗感のあるものだった。
【課題を解決するための手段】
【０００５】
綿製のトランクスを使用し、下腹部の照射部位および体表面のマーキングが確認できるように、ほぼ正方形に切り抜きほつれ処理をし、そこに同布にて作成した窓布を面ファスナーにて取り付けた。また、両側腹部の体表面のマーキングが確認できるように、トランクスの両側のゴムの下部より切り開き、ほつれ処理をし、面ファスナーを取り付けた。
【考案の効果】
【０００６】
下腹部の照射治療を受ける患者は、陰部を露出することなく、照射部位の確認と照射治療を受けられるようになった。また、医療者側（特に異性の場合）が、互いの遠慮や羞恥心などに気を使いながらパンツを脱がす行為がなくなり、適正な判断のもと照射部位の確認と照射治療を受けられるようになった。
【図面の簡単な説明】
【０００７】
【図１】本考案に係る照射用パンツの製造過程における工程図である。
【図２】本考案に係る照射用パンツの製造過程における完成図である。
【考案を実施するための形態】
【０００８】
図１に示した１はトランクスの正面部分をほぼ正方形に切り取ったところ。
２に示したトランクスの側面の部分は、ゴムベルトの下部より切り離した。
１と２の切断面をほつれ処理をする。
【０００９】
図２に示した３の部分は同布（別の同柄のトランクスより窓布として切り取ったもの）で窓布を作成し取り付けたもの。４は窓布および側面切り離し部分の面ファスナーを示した。
【符号の説明】
【００１０】
１  トランクス正面中央の切り取り部分
２  トランクス側面の切り開き部分
３  同柄で作成した窓布
４  面ファスナー使用部分
【図１】
0003205763.tif 000003
【図２】
0003205763.tif 000004
(57)【要約】      （修正有）【課題】血管造影時、パンツをはいたままで、陰部を露出することなく検査が受けられ、また、股関節手術後の包帯交換時、パンツをはいたままで、陰部を露出することなく包帯交換が受けられる検査・手術用パンツを提供する。【解決手段】綿製のパンツ１の両側部をゴムの部分より全面裁断し、ほつれ処理２を行い、裁断部分の両側４か所に帯状の布３を8本結べるように取り付けた。【選択図】図１
0003205765.tif 000002
【実用新案登録請求の範囲】
【請求項１】
綿製のパンツを使用し、両側面を上部ゴムの部分より全面を裁断し、ほつれ処理を行い、裁断部分の両側４か所に帯状の布８本を結べるように取り付けた検査・手術用パンツ。
【考案の詳細な説明】
【技術分野】
【０００１】
本考案は、医療分野の考案に関する。
【背景技術】
【０００２】
従来の検査及び手術用パンツは、被検者が、血管造影を受けるときに使用するパンツで、前面に動脈穿刺を行うための所定の大きさの孔を有するパンツ。      
【先行技術文献】
【特許文献】
【０００３】
【特許文献１】特開  ２００７−３２１３３０
【考案の概要】
【考案が解決しようとする課題】
【０００４】
従来の血管造影検査時及び股関節手術後は、Ｔ字帯や紙おむつが使用され、陰部が露出された状態で処置や包帯交換が行われていた。これは、患者はもちろん医療者側にとっても、遠慮や羞恥心があるものだった。
【課題を解決するための手段】
【０００５】
血管造影検査時及び股関節手術後は、Ｔ字帯や紙おむつではなく、綿製パンツを使用した（女性物はショーツ、男性物はトランクス）。綿製のパンツの両側部の前面を切り開き、ほつれ処理をし、両側４か所に帯状の布を８本取り付けた。
【考案の効果】
【０００６】
血管造影時、穿刺する側の帯状の布をほどいて準備すると、パンツをはいたままで、陰部を露出することなく検査が受けられる。また、股関節手術後の包帯交換時、手術側の帯状の布をほどいて準備すると、パンツをはいたままで、陰部を露出することなく包帯交換が受けられる。
【図面の簡単な説明】
【０００７】
【図１】本考案に係る検査・手術用パンツで女性用の完成図である。
【図２】本考案に係る検査・手術用パンツで男性用の完成図である。
【考案を実施するための形態】
【０００８】
図１に示した女性用ショーツの両側部を上部ゴムの部分より裁断し、ほつれ処理を行い、裁断部両側４か所に８本の帯状の布を取り付けた。
【０００９】
図２に示した男性用トランクスの両側部を上部ゴムの部分より裁断し、ほつれ処理を行い、裁断部両側４か所に８本の帯状の布を取り付けた。
【符号の説明】
【００１０】
１  綿パンツ
２  裁断部のほつれ処理
３  帯状の布
【図１】
0003205765.tif 000003
【図２】
0003205765.tif 000004
(57)【要約】      （修正有）【課題】筆文字と写真を組み合わせて、従来なかった市場を開拓することができる、新鮮味のある芸術分野の商品となる写真を提供する。【解決手段】筆文字の形状を有する写真であって、単一又は複数の写真が前記筆文字の輪郭の内側に掲示されていることを特徴とする。具体的には、個々の消費者から、希望の筆文字１と写真を受け、前記写真の所望の部分を前記筆文字の輪郭内に配置する手法によって作成される。配置する写真ａ〜ｅは1枚でもよいし、複数の写真を消費者の希望に合わせて組み合わせたものであってもよい。作成の手法としては、コンピュータソフトを使用してもよいし、紙とアナログ写真を用いて、鋏やカッターで加工を行うことも可能である。【選択図】図３
0003205793.tif 000002
【実用新案登録請求の範囲】
【請求項１】
筆文字の形状を有する写真であって、単一又は複数の写真が前記筆文字の輪郭の内側に掲示されていることを特徴とする写真。
【考案の詳細な説明】
【技術分野】
【０００１】
本考案は、筆文字の形状を有する写真に関する。
【背景技術】
【０００２】
書道と写真は、それぞれ独立した芸術分野であって、両者を組み合わせて同じ枠内に掲示する場合においても、図１のように、写真の中に筆文字を配置するか、又は、文字と写真を並列的に掲示するのが一般的である。
【０００３】
例えば、近年、写真付きの命名書が増えているが、この場合でも、祖父母等が筆書きした名前の横や下に写真を付したものがほとんどである。また、子供の成長などを友人に知らせる葉書なども、写真の中に文字を置くことはあるが、文字の中に写真を配置したものはない。
【考案の概要】
【考案が解決しようとする課題】
【０００４】
上述したように、筆文字と写真は組み合わせて使用されることが多いが、完成されたもの同士の組み合わせがほとんどである。これらの形態は目新しさに欠けるうえ、誰でも簡単に作成できるので、ギフト等商品として市場性に乏しい。
【０００５】
上記の事情に鑑み、本考案においては、筆文字と写真を組み合わせて、従来なかった市場を開拓することができる、新鮮味のある芸術分野の商品を提供することを課題とする。
【課題を解決するための手段】
【０００６】
上記課題を解決するために、本考案に係る写真は、筆文字の形状を有する写真であって、単一又は複数の写真が前記筆文字の輪郭の内側に掲示されていることを特徴とする。
【０００７】
具体的には、個々の消費者から、希望の筆文字と写真を受け、前記写真の所望の部分を前記筆文字の輪郭内に配置する手法によって作成されることを特徴とする。
【考案の効果】
【０００８】
本考案により、想像範囲内の商品を超え、書でもあり、写真でもあるという、新しい芸術分野の商品を提供することが可能となる。
【０００９】
個々の消費者の希望に沿って本考案に係る商品を製作・販売することにより、新しい市場を開拓することができる。
【図面の簡単な説明】
【００１０】
【図１】筆文字と写真の組合せによる従来の作品例である。
【図２】本実施形態の写真の作成例である。（Ａ）元の筆文字（Ｂ）完成品
【図３】本実施形態の写真の作成例である。（Ａ）元の筆文字（Ｂ）完成品
【図４】本実施形態の写真の商品としての形態の例示である。
【考案を実施するための形態】
【００１１】
本実施形態の写真は、筆文字の輪郭内のスペースに写真を掲示するものであり、図２及び図３に作成例が示されている。それぞれ、（Ａ）が写真のテーマとなる筆文字、（Ｂ）が写真を配置した完成品の例である。
【００１２】
筆文字（Ａ）は、作成を依頼する消費者の家族のイメージ、子供の名前や、葉書等により表現したい内容を表す文字であり、該文字は、写真の内容に沿う文字を消費者から受け取るか、又は店頭に置いた見本等から消費者が選んだものとなる。配置する写真は1枚でもよいし、複数の写真を消費者の希望に合わせて組み合わせたものであってもよい。例えば、図３は、家族のイメージとして表現したい文字「彩」を元文字１とし、文字内に５枚の写真ａ〜ｅを配置したものである。
【００１３】
本実施形態では、コンピュータのソフトを用いて作成する実施例を紹介する。手順としては、まず、第１のレイヤーに（Ａ）の文字を配置し、透明化する。次に、第２のレイヤーにデジタル写真を置き、上に第１のレイヤーを重ねて（Ｂ）の状態とする。最後に、この状態で第２のレイヤーのデジタル写真を移動させ、所望の写真部分が文字内に見える位置に配置する。これらの作成過程は、依頼人の目の前で行ってもよいし、操作手順を依頼人に教え、依頼人自らが行えるようにしてもよい。
【００１４】
仕上がった作品は、そのまま葉書に転写してもよいし、プリント後、好みの枠にセットして消費者に渡してもよい。図４は、枠とともに販売する商品としての最終形態の例示である。
【００１５】
以上、本考案に係る「筆文字の形状を有する写真」の１実施例について上記実施形態に記載したが、本考案は、本考案の原理の範囲内で、本願の実用新案登録請求の範囲で使用されている言葉を広く一般的な意味にまで広げて実施することが可能である。例えば、作成の手段としてコンピュータを使用せず、紙とアナログ写真を用いて、鋏やカッターで加工を行うことも可能であり、これら本実施形態と異なる手法による実施も本考案の技術的範囲に属するものである。
【符号の説明】
【００１６】
１      元文字
ａ〜ｅ  配置する写真
【図１】
0003205793.tif 000003
【図２】
0003205793.tif 000004
【図３】
0003205793.tif 000005
【図４】
0003205793.tif 000006
(57)【要約】      （修正有）【課題】脱毛シートに対する加熱処理を簡易な構成で容易に行うことができる脱毛シート収納容器を提供する。【解決手段】平面状の脱毛シート２０と、脱毛シート２０より大きい面積を有し、脱毛シート２０を支持するための支持シート３０と、支持シート３０の上側に、支持シート３０の外縁部分から上方に向けて張り出すように形成された上側収納本体部４０Ａと、支持シート３０の下側に、支持シート３０の外縁部分から下方に向けて張り出すように形成された下側収納本体部４０Ｂとからなる収納本体部４０とを備え、収納本体部４０は、支持シート３０及び上側収納本体部４０Ａによって形成された上側間隙部５０Ａと、支持シート３０及び下側収納本体部４０Ｂによって形成された下側間隙部５０Ｂとを有する。【選択図】図１
0003205796.tif 000002
【実用新案登録請求の範囲】
【請求項１】
平面状の脱毛シートと、
前記脱毛シートより大きい面積を有し、前記脱毛シートを支持するための支持シートと、
前記支持シートの上側に、前記支持シートの外縁部分から上方に向けて張り出すように形成された上側収納本体部と、前記支持シートの下側に、前記支持シートの外縁部分から下方に向けて張り出すように形成された下側収納本体部とからなる収納本体部と
を備え、前記収納本体部は、
前記支持シート及び前記上側収納本体部によって形成された上側間隙部と、前記支持シート及び前記下側収納本体部によって形成された下側間隙部とを有する
ことを特徴とする脱毛シート収納容器。
【考案の詳細な説明】
【技術分野】
【０００１】
本考案は、脱毛シート収納容器に関する。
【背景技術】
【０００２】
近年、脱毛処理を行う手段として、種々の脱毛シートが開発及び提案されている。
【考案の概要】
【考案が解決しようとする課題】
【０００３】
本考案は、脱毛シートに対する加熱処理を簡易な構成で容易に行うことができる脱毛シート収納容器を提供することを目的とする。
【課題を解決するための手段】
【０００４】
本考案の一態様による脱毛シート収納容器は、
平面状の脱毛シートと、
前記脱毛シートより大きい面積を有し、前記脱毛シートを支持するための支持シートと、
前記支持シートの上側に、前記支持シートの外縁部分から上方に向けて張り出すように形成された上側収納本体部と、前記支持シートの下側に、前記支持シートの外縁部分から下方に向けて張り出すように形成された下側収納本体部とからなる収納本体部と
を備え、前記収納本体部は、
前記支持シート及び前記上側収納本体部によって形成された上側間隙部と、前記支持シート及び前記下側収納本体部によって形成された下側間隙部とを有する。
【考案の効果】
【０００５】
本考案の脱毛シート収納容器によれば、脱毛シートに対する加熱処理を簡易な構成で容易に行うことができる。
【図面の簡単な説明】
【０００６】
【図１】本考案の実施の形態による脱毛シート収納容器の構成を示す分解斜視図及び縦断面図である。
【考案を実施するための形態】
【０００７】
以下、本考案の実施の形態について図面を参照して説明する。
【０００８】
図１に、本考案の実施の形態による脱毛シート収納容器１０の構成を示す。このうち、図１（ａ）は、脱毛シート収納容器１０の分解斜視図を示し、図１（ｂ）は、図１（ａ）中のＡ−Ａ’線に沿って切断した場合の縦断面図を示す。
【０００９】
脱毛シート収納容器１０は、平面状に形成された脱毛シート２０をその内部に収納する。この脱毛シート２０は、加熱処理を施した上で、一旦肌に貼り付けた後、剥がすことにより、体毛を除去するためのものである。
【００１０】
また、脱毛シート収納容器１０は、脱毛シート２０を支持するための支持シート３０をその内部に有する。この支持シート３０は、例えば紙などからなり、脱毛シート２０を支持するため、当該脱毛シート２０より大きい面積を有するように、平面状に形成されている。
【００１１】
支持シート３０の上側には、支持シート３０の外縁部分から中央部分に向かって、上方に湾曲して張り出すように、上側収納本体部４０Ａが形成されると共に、支持シート３０の下側には、支持シート３０の外縁部分から中央部分に向かって、下方に湾曲して張り出すように、下側収納本体部４０Ｂが形成され、これら上側収納本体部４０Ａ及び下側収納本体部４０Ｂを一体成形することにより、収納本体部４０が形成されている。なお、収納本体部４０は、例えば紙などからなり、断面が楕円状になるように形成されている。
【００１２】
これにより、支持シート３０と上側収納本体部４０Ａとの間には、上側間隙部５０Ａが形成されると共に、支持シート３０と下側収納本体部４０Ｂとの間には、下側間隙部５０Ｂが形成されている。
【００１３】
すなわち、脱毛シート収納容器１０は、平面状の脱毛シート２０と、脱毛シート２０より大きい面積を有し、脱毛シート２０を支持するための支持シート３０と、支持シート３０の上側に、支持シート３０の外縁部分から上方に向けて張り出すように形成された上側収納本体部４０Ａと、支持シート３０の下側に、支持シート３０の外縁部分から下方に向けて張り出すように形成された下側収納本体部４０Ｂとからなる収納本体部４０とを備え、収納本体部４０は、支持シート３０及び上側収納本体部４０Ａによって形成された上側間隙部５０Ａと、支持シート３０及び下側収納本体部４０Ｂによって形成された下側間隙部５０Ｂとを有する。
【００１４】
本実施の形態の場合、脱毛シート収納容器１０を図示しない電子レンジ内に載置することにより、脱毛シート２０に対して加熱処理を行う。脱毛シート２０は、加熱処理を施されると、粘着力が生じる。このように加熱処理が施され、粘着力が生じた脱毛シート２０を脱毛シート収納容器１０から取り出し、人の肌に貼り付ける。その後、脱毛シート２０が冷却し、固まったタイミングで、脱毛シート２０を肌から剥がすことにより、体毛を除去する。
【００１５】
このように本実施の形態によれば、湯煎などの脱毛専用器具を別途用意する必要がない分、脱毛シート２０に対する加熱処理を簡易な構成で容易に行うことができる。また、脱毛シート２０の上下に上側間隙５０Ａ及び下側間隙５０Ｂを設けることにより、収納本体部４０内に間隙を設けない場合と比較して、少ない熱量で効率良く加熱処理を行うことができる。
【００１６】
因みに、本実施の形態の場合、脱毛シート２０に対して加熱処理を行う際の熱源としては、例えば電子レンジを使用し、加熱条件として、例えば５００Ｗで６０秒間、加熱処理を行う。また、支持シート３０及び収納本体部４０は、電子レンジ耐熱紙からなり、例えば日本製紙クレシア株式会社製の新耐油紙Ｋ、エコバリーＶ・エコバリーＫなどを使用する。
【００１７】
なお、上述の実施の形態においては、収納本体部４０の断面が楕円状になるように形成した場合について述べたが、本考案はこれに限らず、収納本体部４０の断面が長方形状になるように形成しても良い。
【符号の説明】
【００１８】
１０  脱毛シート収納容器
２０  脱毛シート
３０  支持シート
４０Ａ  上側収納本体部
４０Ｂ  下側収納本体部
【図１】
0003205796.tif 000003
(57)【要約】      （修正有）【課題】避難訓練時・災害発生時に、防災情報を得ることができる備蓄飲料用ペットボトルを提供する。【解決手段】備蓄飲料用ペットボトル１において、ラベル装着部分に、防災マップを印刷したラベル２を装着したものである。【選択図】図１
0003205195.tif 000002
【実用新案登録請求の範囲】
【請求項１】
ペットボトルのラベル装着部分に、防災マップを印刷したラベルを装着したことを特徴とする備蓄飲料用ペットボトル。
【請求項２】
製造会社のロゴや商品名を付した第１のラベルが装着された部分の上に、該第１のラベルの表面に防災マップを印刷した第２のラベルを装着したことを特徴とする備蓄飲料用ペットボトル。
【考案の詳細な説明】
【技術分野】
【０００１】
この考案は、災害発生時に使用する飲料水の備蓄に適したペットボトルに関する。
【背景技術】
【０００２】
災害発生時用飲料水を備蓄する場合、水入りペットボトルを段ボール箱に入れて、乾パンや缶詰などの食料品とともに備蓄している。
【０００３】
通常、市販されている水入りペットボトルを備蓄しており、使用することなく一定期限経過するごとに新しいものと入れ換えている。
【０００４】
このような水入りペットボトルのラベルに、販売促進を目的とした広告用の文字等を付すことが下記特許文献１に開示されている。
【先行技術文献】
【特許文献】
【０００５】
【特許文献１】実用新案登録第３１３９６５１号公報
【考案の概要】
【考案が解決しようとする課題】
【０００６】
水入りペットボトルを備蓄する場合には、販売促進を目的とした広告用の文字等をつけても、人々に見られることは殆どないので、販売促進の効果を期待することはできない。
【０００７】
備蓄された飲料入りペットボトルが開封されるときは、地震、暴風雨などの災害発生時であるから、防災情報を表示すべきである。
【課題を解決するための手段】
【０００８】
この考案の備蓄飲料用ペットボトルは、ペットボトルのラベル装着部分に、防災マップを印刷したものを装着したことを特徴とする。
また、製造会社のロゴや商品名を付した第１のラベル装着部分に、この第１のラベルの表面の上に防災マップを印刷した第２のラベルを貼り付けてもよいのである。
【考案の効果】
【０００９】
この考案の備蓄飲料用ペットボトルによると、避難訓練時の啓蒙活動により防災情報の認識を深めるとともに、災害発生時に、備蓄しているペットボトルを取り出すと同時に、防災情報を得ることができる。
【図面の簡単な説明】
【００１０】
【図１】この考案の水を入れたペットボトルの外観を示す斜視図である。
【図２】この考案のペットボトルに装着させるラベルの一例を示す展開図である。
【図３】この考案の他の実施形態におけるラベルに代わる紙片またはフィルムを巻き付ける状態を示す斜視図である。
【考案を実施するための形態】
【００１１】
（第１の実施形態）
図１の斜視図に示すように、防災マップを印刷した熱収縮フィルムを丸めて筒状に形成した半製品を予め用意し、この半製品を成型したペットボトル１のラベル装着部分に嵌めて、熱風または蒸気を吹き付けて熱処理を施すと、半製品のラベルが収縮してラベル２をペットボトル１に密着させることができる。
【００１２】
ラベル２に印刷する防災マップには、図２に示すように、該当地域に係る警察署、交番、消防署、災害拠点病院、避難所（小学校など）、避難場所（広場、公園など）、給水拠点などの防災情報が印刷されている。
【００１３】
このように、空のペットボトル１に飲料水や各種の飲み物を充填したのち、合成樹脂製のキャップ３で封緘し、防災情報を印刷したラベル２を密着させて巻き付ける。
【００１４】
（第２の実施形態）
第１の実施形態においては、熱収縮フィルムを用いて防災マップを印刷しているが、防災区域が小規模な場合には、熱収縮フィルムのラベルを使用すると、高価にならざるを得ない。
【００１５】
製造会社のロゴや商品名を付したラベルが貼られて、飲料が入れられている市販品を利用すると、価格の点で有利である。
【００１６】
図３に示すように、表面に防災マップが印刷され、裏面全体または端部だけに粘着剤または接着剤６を塗布した紙片５を作り、この紙片５を製造会社のロゴや商品名を付したラベル４の上に装着する。
【００１７】
このような紙片３は、複数回巻き付けてもよく、紙面を広くすることができるので多くの防災情報を提供することができる。
【００１８】
このように、製造会社のロゴや商品名を付したラベル４の上に紙片５を貼り付けると、ペットボトル１から紙片５をラベル４とともに剥がすことができる。
【符号の説明】
【００１９】
１  ペットボトル
２  ラベル
３  合成樹脂製のキャップ
４  製造会社のロゴや商品名を付したラベル
５  防災情報を印刷した紙片
６  粘着剤または接着剤
【図１】
0003205195.tif 000003
【図２】
0003205195.tif 000004
【図３】
0003205195.tif 000005
(57)【要約】      （修正有）【課題】手提げの大きさを変えることにより、一つの手提げで小さくも使え、大きくも使える大きさを変えることのできる手提げを提供する。【解決手段】帯状の持ち手４を有する手提げ本体１の中間部に切り替え部１−２を設け、切り替え部１−２には、正面２箇所と背面２箇所に、持ち手を通す金属製の丸輪を設け、金属製の丸輪の中を紐状の持ち手を通した。帯状の持ち手４を利用して手提げを肩に掛けて、また畳んで紐状の持ち手を手で握って両方の使用方法が出来るようにしたことを特徴とする。【選択図】図１
0003205110.tif 000002
【実用新案登録請求の範囲】
【請求項１】
帯状の持ち手（４）を有する手提げ本体（１）の中間部に切り替え部（１−２）を設け、切り替え部（１−２）には、正面２箇所と背面２箇所に、持ち手を通す金属製の丸輪（３）を設け、前記金属製の丸輪（３）の中を紐状の持ち手（２）を通した大きさを変えて使用することの出来る手提げ
【請求項２】
手提げ本体（１）帯状の持ち手（４）及び紐状の持ち手（２）の素材は、布又は、皮又は合成樹脂系の素材を使用する請求項１記載の肩に掛ける事が出来る手提げ。
【考案の詳細な説明】
【技術分野】
【０００１】
本考案は、手提げとして使用し、肩にもかける事ができる手提げに関する。
【背景技術】
【０００２】
従来、手提げは手で持って歩き、必要な時には中に入れているものを取り出し、またその後は、同じ要領で手提げを手に持ちながら歩くのみであった。
特許文献１．実用新案登録第３１７６８８５号（Ｕ３１７６８８５）公報（手提げ袋）に記載はあるが構造の違いが大きい。
【先行技術文献】
【特許文献】
【０００３】
【特許文献１】実用新案登録第３１７６８８５号（Ｕ３１７６８８５）公報
【考案の概要】
【考案が解決しようとする課題】
【０００４】
手提げには貴重品や身の回りの物を入れて持ち歩くが、買い物をしたときに他の手提げを取り出して使い、荷物を両手に持つことになった。これを一つの手提げにし、大きさを変えることにより手提げに何通りかの用途を持たせることが課題である。
【課題を解決するための手段】
【０００５】
課題を解決するために本考案は，以下の構成とした。
手提げ本体（１）の中間部に切り替え部（１−２）を設け、手提げ本体（１）の上部（１−１）を手提げ本体の内部に入れて小さい手提げとして使用するものとした。
【０００６】
切り替え部（１−２）には、正面２箇所と背面２箇所に、持ち手を通す金属製の丸輪（３）を設け、前記金属製の丸輪（３）の中を紐状の持ち手（２）を通して、手提げ本体の上部（１−１）を手提げ本体内部に畳んで、小さくして紐状の持ち手（２）を手で握って小さい手提げとして持って歩けるようにした。
【０００７】
逆に荷物が増えて手提げ本体として大きく使う時は、手提げ本体の内部に納めた手提げ本体上部（１−１）を引き出して帯状の持ち手（４）を利用して肩に掛けて使用する。大きい手提げとして使用する時は、切り替え部（１−２）は両端を引き伸ばすことにより紐状の持ち手（２）は切り替え部（１−２）の内部に納まり、外部からは見えなくなる。
【考案の効果】
【０００８】
（イ）外出をする際、途中で持ち歩く手荷物が増えても簡単にショルダーバックのように肩に掛ける事が出来るため、大変便利である。
（ロ）また、２つ又は３つの荷物になっても、ショルダーバックのように肩にかける事が出来るため、見苦しくない事と肉体的にも楽である。
【図面の簡単な説明】
【０００９】
【図１】本考案の手提げ正面図
【図２】本考案の肩に掛けられるように手提げ部・持ち手を長くした正面図
【図３】本考案の持ち手及び持ち手の根元の説明図
【図４】本考案の持ち手及び持ち手の根元の拡大説明図
【考案を実施するための形態】
【００１０】
以下，本発明を実施するための最良の形態について説明する。
手提げ本体（１）の中間部に切り替え部（１−２）を設け、手提げ本体（１）の上部（１−１）を手提げ本体の内部に入れて小さい手提げとして使用するものとした。
【００１１】
切り替え部（１−２）には、正面２箇所と背面２箇所に、持ち手を通す金属製の丸輪（３）を設け、前記金属製の丸輪（３）の中を紐状の持ち手（２）を通して、手提げ本体の上部（１−１）を手提げ本体内部に畳んで、小さくして紐状の持ち手（２）を手で握って小さい手提げとして持って歩くことが出来る。この時手提げ本体上部（１−１）を収納物の上に被せると、収納物を雨・風・汚れから守ることができる。
また、紐状の持ち手（２）は、手提げを小さくした時の持ち手となる。正面及び背面に露出た部分を持つと、小さい手提げの収納物の重みで切り替え部の中から引き出され、小さい手提げを手に持って使用することが出来る。切り替え部の両端を握って外側に向かって引くと、紐状の持ち手（２）は金属製の丸輪（３）の中を通り、手提げ本体（１）の内部に隠れる。大きい手提げとして使用する時は、紐状の持ち手（２）は手提げ本体（１）の切り替え部の中に納まったまま、手提げ本体を一周している。
【００１２】
荷物が増えて手提げ本体（１）として大きく使う時は、手提げ本体上部（１−１）を引き出して帯状の持ち手（４）を利用して手で持つか、肩に掛けて使用することができる。大きい手提げとして使用する時は、切り替え部（１−２）は両端を引き伸ばすことにより紐状の持ち手（２）は切り替え部（１−２）の内部に納まり、外部からは見えなくなる。
このようにして手提げを小さく使う時は手提げ本体上部（１−１）を畳んで切り替え部より下に入れて、紐状の持ち手（２）を使用し、荷物が増えて大きい手提げが必要な時は、手提げ本体上部（１−１）を引き出して、帯状の持ち手を利用して手で持ちあるいは肩にかけて使用すると一個の手提げで二通りの手提げとして使用することが出来る。
【００１３】
本考案の手提げ本体（１）及び手提げ本体の上部（１−１）帯状の持ち手（４）及び紐状の持ち手（２）の素材は、布又は皮又は合成樹脂系の素材を使用する。
また切り替え部に設けた金属製の輪は、合成樹脂に変えることができる。
【符号の説明】
【００１４】
１．    手提げ本体
１−１．手提げ本体の上部
１−２．切り替え部
２．    紐状の持ち手
３．    持ち手を通す金属製の丸輪
４．    帯状の持ち手
【図１】
0003205110.tif 000003
【図２】
0003205110.tif 000004
【図３】
0003205110.tif 000005
【図４】
0003205110.tif 000006